(57)【特許請求の範囲】
【請求項１】
窓障子に取り付けられたハンドルにより窓障子の見付け方向に回動するラッチと、窓枠に取り付けられ窓枠の見付け方向に延びる受面を有する受け具を具備し、上記ラッチを受面に摺接することにより窓障子を見込み方向に引き寄せるようにしたハンドル装置において、上記受け具に見込み方向に延びる係止部を形成し、上記ラッチに該係止部に係合するようフックを設け、上記受け具の係止部は上記受面を構成する受面壁の先端から屈曲して延びる係止壁に形成され、該係止壁には上記ラッチを受け入れる挿入口が形成され、該挿入口には上記ラッチを受面に案内する舌片が設けられていることを特徴とするハンドル装置。
【請求項２】
上記受け具は、上記挿入口から入った上記ラッチを包囲するよう断面略ロ字状に形成されている請求項１に記載のハンドル装置。
【請求項３】
上記ラッチ及び又は受面には、該ラッチが受面に摺接する際窓障子を見込み方向に引き寄せるよう傾斜面が形成されている請求項１に記載のハンドル装置。
【請求項４】
上記フックは、上記ラッチの先端に形成され、側面には傾斜面が形成されている請求項１に記載のハンドル装置。
【請求項５】
請求項１ないし４のいずれかに記載のハンドル装置を具備する窓障子。
【発明の詳細な説明】
【技術分野】
【０００１】
本発明は、外開き窓や内開き窓等において、ハンドルを操作して窓障子を窓枠に引き寄せて施解錠できるようにしたハンドル装置及びそれを用いた窓障子に関するものである。
【背景技術】
【０００２】
外開きや内開き窓に使用されているハンドル装置（例えば、特許文献１参照）は、ハンドルの操作により窓障子を引き寄せて簡単に施解錠できるので、広く用いられている。しかし、近年窓やドアが破壊され、上述の如き施解錠装置が壊されて盗難にあう場合があり、市場は防犯機能に対する要求が高まっている。このような状況下で、ハンドル装置は、一般的に引き寄せ施錠機能に優れているが、見付け方向の力に対して施錠機能を有していないから、バール等を窓枠と窓障子の間に差し込んで無理にこじあけると、見付け方向の抵抗を生じることなく、容易にこじあけられるおそれがある。
【特許文献１】実公昭４７−２２９５４号公報（第５図）
【発明の開示】
【発明が解決しようとする課題】
【０００３】
本発明の解決課題は、上記のように引き寄せ機能を具備するハンドル装置において、施錠した際に見付け方向に対する施錠機能も有する防犯機能付のハンドル装置及びそれを用いた窓障子を提供することである。
【課題を解決するための手段】
【０００４】
本発明によれば、窓障子に取り付けられたハンドルにより窓障子の見付け方向に回動するラッチと、窓枠に取り付けられ窓枠の見付け方向に延びる受面を有する受け具を具備し、上記ラッチを受面に摺接することにより窓障子を見込み方向に引き寄せるようにしたハンドル装置において、上記受け具に見込み方向に延びる係止部を形成し、上記ラッチに該係止部に係合するようフックを設けたことを特徴とするハンドル装置及びそれを用いた窓障子が提供され、上記課題が解決される。
【０００５】
また、本発明によれば、上記ハンドル装置において、上記受け具は、上記ラッチを挿入する挿入口の側方に上記係止部を構成する係止壁があり、該ラッチを上記挿入口に挿入した際、該ラッチを包囲するよう断面略ロ字状に形成されている上記ハンドル装置及びそれを用いた窓障子が提供される。
【発明の効果】
【０００６】
本発明は上記のように構成され、ハンドルにより回動するラッチを受け具の受面に摺接させて窓障子を引き寄せるようにしたハンドル装置において、受け具に見込み方向に延びる係止部を形成し、上記ラッチに該係止部に係合するフックを設けたので、窓障子を閉じて上記ハンドルを回動すると、上記ラッチが受け具の受面に摺動して窓障子を窓枠に引き寄せると共にフックが受け具の係止部に係合して窓障子と窓枠を見付け方向に拘束することができ、窓障子は見込み方向と、見付け方向に施錠され、簡単に破壊されるおそれがない。
【０００７】
また、上記受け具を、上記ラッチを包囲するよう断面略ロ字状に形成すると、ラッチをバール等で直接破壊することができなくなり、安全であり、さらに上記受け具に設けたラッチの挿入口に舌片を突設すると、上記ラッチを受け具の受面に確実に摺接させることができると共に該ラッチを遮蔽できるので一層防犯効果を上げることができる。
【発明を実施するための最良の形態】
【０００８】
図１は内開き式の窓障子の一例を示し、窓障子（１）は、窓枠（２）内に開閉可能に枢着され、戸先側にはハンドル装置（３）が設けられている。該ハンドル装置（３）は、窓障子（１）に取り付けられる台座（４）と、該台座（４）に回動可能に設けられた軸（５）を有し、該軸（５）の一端はハンドル（６）にインサート成形され、該軸（５）の先端にはフック（７）を有するラッチ（８）が設けられ、該ハンドル（６）を回動することにより該ラッチ（８）が係合するよう窓枠（２）には受け具（９）が設けられている。なお、公知のように、上記ラッチ（８）は、窓障子（１）の見付け方向に回動し、上記軸（５）の周囲には、上記ラッチ（８）が受け具（９）に係合した施錠位置及び受け具（９）から外れた解錠位置において上記ハンドル（６）が所定方向を向くよう姿勢保持用のばね（図示略）が設けられている。
【０００９】
上記受け具（９）には、上記ラッチ（８）が摺接するよう見付け方向に延びる受面（１０）が形成され、該ラッチ（８）及び又は受面（１０）の摺接部には、該ラッチ（８）が受面（１０）に摺接するとき、上記窓障子（１）を見込み方向に引き寄せるよう傾斜面が形成されている。図に示す実施例では、該傾斜面（１１）は上記フック（７）の側面に形成されているが、上記受面（１０）に傾斜面を形成してもよい。
【００１０】
上記受け具（９）は、金属材料でダイカスト成形してもよいが、図に示す実施例では、ステンレス板等の金属板材料で形成され、好ましくは施錠状態で上記ラッチ（８）を包囲できるよう断面略ロ字状に形成されている。具体的には、図６に示すように基板（１２）の一側に見付け方向に延びる上記受面（１０）を形成するよう受面壁（１３）を起立し、該受面壁（１３）の先端を見込み方向に屈曲して係止壁（１４）を設け、さらに該係止壁（１４）の先端を上記受面壁（１３）に対向する方向に屈曲させて側壁（１５）を設け、該側壁（１５）の先端を上記基板（１２）に沿って屈曲させて内板（１６）を形成し、該基板（１２）と内板（１６）を溶接等により固着し、窓枠（２）に取り付けるための取付孔（１７）を形成してある。
【００１１】
上記係止壁（１４）には、上記ラッチ（８）を受け入れるための挿入口（１８）が形成され、挿入口の側方の該係止壁（１４）の内側面は上記ラッチ（８）の先端の上記フック（７）が係合する係止部（１９）となっている。なお、上記挿入口（１８）には、上記ラッチ（８）を受面に案内するよう舌片（２０）が突設され、該舌片（２０）を傾斜させることにより引き寄せ効果を生じさせている。
【００１２】
なお、図に示す実施例では、上記受け具（９）を断面略口字状に形成したが、該受け具はその他適宜の形状にすることができる。例えば、受面壁と係止壁が略Ｌ字状に存するような単純な形状にしてもよい。
【００１３】
上記の構成により、窓障子（１）を閉じて上記ハンドル（６）を回動すると、上記ラッチ（８）は、図４の鎖線の状態から実線に示すように回動し受け具（９）の受面（１０）に摺接して窓障子（１）を窓枠（２）の見込み方向に引き寄せると共に上記フック（７）が受け具（９）の係止部（１９）に係合して窓障子と窓枠を見付け方向に施錠することができる。したがって、バール等で窓障子をこじあけられないように施錠することができ、防犯機能を高めることができる。
【図面の簡単な説明】
【００１４】
【図１】本発明の一実施例を示し、窓障子と窓枠の関係を示す説明図。
【図２】施錠状態の正面図。
【図３】施錠状態の平面図。
【図４】ラッチ等の動きを示す説明図。
【図５】（Ａ）、（Ｂ）はそれぞれハンドル等を示す斜視図。
【図６】受け具の一実施例を示し、（Ａ）は斜視図、（Ｂ）は正面図、（Ｃ）は平面図。
【符号の説明】
【００１５】
１    窓障子
２    窓枠
６    ハンドル
７    フック
８    ラッチ
９    受け具
１０    受面
１９    係止部
【図１】
0004833700.tif 000002
【図２】
0004833700.tif 000003
【図３】
0004833700.tif 000004
【図４】
0004833700.tif 000005
【図５】
0004833700.tif 000006
【図６】
0004833700.tif 000007